(57)【要約】【課題】組み付け操作が容易で、一旦組み付ければ確実に各部が固定されて一つの容器として安定した状態を維持でき、そのため収納液の種類によって充填時に内容器体の選択が可能であり、また、重厚な装飾性の付与が可能で高級感を現出することのできる二重容器を提案する。【解決手段】上端を開口した筒状の外容器体２と、該外容器体の口部に回転及び抜け出しを防止して嵌着した窓孔12付きの肩カバー３と、外容器体内に胴部21を垂下し且つ口頸部42を窓孔32より突出した状態で肩カバー３に嵌着固定した内容器４とを備え、口頸部基端部と窓孔縁部とを特殊構成の係合手段により嵌着固定させた。【選択図】図１
2005289467.tif 000002
【特許請求の範囲】
【請求項１】
上端を開口した筒状をなす外容器体２と、前記外容器体２の口部に回転及び抜け出しを防止して外周縁を嵌着し、上端にフランジ状の頂板31により囲成された窓孔32を備えた肩カバー３と、前記外容器体２内に胴部40を垂下し且つ前記窓孔32と同形状に基端部外周を形成した口頸部42を前記窓孔32より突出した状態で前記肩カバー３に嵌着固定した内容器体４とを備え、前記内容器体４の前記肩カバー３への嵌着固定は、前記窓孔32周縁部対向位置に設けた互いに並行する一対の支持垂面ｆ1 と、前記口頸部42の基端部の前記各支持垂面ｆ1 との対向位置にそれぞれ設けた一対の互いに並行する被支持垂面ｆ2 とを、凹凸係合手段を介して乗り越え係合させ、且つ、前記頂板31下面に形成した係合凹部37を前記内容器体４上面に突設した係合突起46に上方より嵌着する如く構成したことを特徴とする二重容器。
【請求項２】
前記肩カバー３の前記外容器体２に対する回転及び抜け出しを防止する手段として、前記外容器体２の外周上端部に縦設した縦リブ23を前記肩カバー３の周壁30内周下端部に凹設した係合凹部33に嵌合させるとともに、前記外容器体２外周上端部の前記縦リブ23間に突設した突条24に前記肩カバー周壁30内周の前記突条24対向位置に凹設した凹条34を強制的に係合させてなる請求項１に記載の二重容器。
【発明の詳細な説明】
【技術分野】
【０００１】
本発明は二重容器に関する。
【背景技術】
【０００２】
二重容器として、内部の容器を交換するためのリフィル容器とし、外側の容器内に収納したリフィル容器を肩カバーにより固定したものが知られている。（例えば、特許文献１参照）
【０００３】
前記容器は、少なくとも上端を開口させた筒状の外装体内に、注出口を突設したリフィル容器を交換自在に収納させたもので、リフィル容器の注出口を上方に突出させる貫通孔設けた肩カバーを外装体の上端開口部に着脱自在にリフィル容器を装着させ、また、リフィル容器の注出口にキャップを着脱自在に装着させたものであり、リフィル容器の注出口の外周面にフランジが周設されており、該フランジが肩カバーと当接することによりリフィル容器の上方向への遊動が規制され、フランジと肩カバー又は外装体に互いに係合し合う少なくとも一対の係合部が設けられてリフィル容器の軸廻りの空転が規制されている。
【特許文献１】特開２０００−１２８１６１号公報
【発明の開示】
【発明が解決しようとする課題】
【０００４】
本発明は従来の如き内容器をレフィル容器として使用する二重容器ではなく、組み付け操作が容易で、一旦組み付ければ確実に各部が固定されて一つの容器として安定した状態を維持でき、そのため収納液の種類によって充填時に内容器体の選択が可能であり、また、内容器体が外方より目視できる状態となる如く外容器体を構成すれば、重厚な装飾性の付与が行えて高級感を発現できる二重容器を提案するものである。
【課題を解決するための手段】
【０００５】
第１の手段として、本発明二重容器は、上端を開口した筒状をなす外容器体２と、前記外容器体２の口部に回転及び抜け出しを防止して外周縁を嵌着し、上端にフランジ状の頂板31により囲成された窓孔32を備えた肩カバー３と、前記外容器体２内に胴部40を垂下し且つ前記窓孔32と同形状に基端部外周を形成した口頸部42を前記窓孔32より突出した状態で前記肩カバー３に嵌着固定した内容器体４とを備え、前記内容器体４の前記肩カバー３への嵌着固定は、前記窓孔32周縁部対向位置に設けた互いに並行する一対の支持垂面ｆ1 と、前記口頸部42の基端部の前記各支持垂面ｆ1 との対向位置にそれぞれ設けた一対の互いに並行する被支持垂面ｆ2 とを、凹凸係合手段を介して乗り越え係合させ、且つ、前記頂板31下面に形成した係合凹部37を前記内容器体４上面に突設した係合突起46に上方より嵌着する如く構成した。
【０００６】
第２の手段として、前記第１の手段に於いて、前記肩カバー３の前記外容器体２に対する回転及び抜け出しを防止する手段として、前記外容器体２の外周上端部に縦設した縦リブ23を前記肩カバー３の周壁30内周下端部に凹設した係合凹部33に嵌合させるとともに、前記外容器体２外周上端部の前記縦リブ23間に突設した突条24に前記肩カバー周壁30内周の前記突条24対向位置に凹設した凹条34を強制的に係合させた。
【発明の効果】
【０００７】
本発明の二重容器は、内容器体４に肩カバー３を嵌着した状態で外容器体２に固定しているため、内容器体４が外容器体２に対して吊下状態で嵌合することができ、内容器体４の胴部形状等を種々採用でき、その結果、外容器体２の外面から内容器体４を目視できる状態としたは場合には立体感のある重厚な装飾性を得られるものであり、当然外容器体２内に密着した状態での内容器体胴部40の形態の採用も可能である。
【０００８】
また、基端部外周を前記窓孔32と同形状に形成した口頸部42を前記窓孔32より突出した状態で前記肩カバー３に内容器体４を嵌着固定し、その係合手段は、前記窓孔32周縁部対向位置に設けた互いに並行する一対の支持垂面ｆ1 と、前記口頸部42外周基端部の前記各支持垂面ｆ1 との対向位置にそれぞれ設けた一対の互いに並行する被支持垂面ｆ2 とを、凹凸係合手段を介して乗り越え係合させ、また、前記胴部40上面に突設した係合突起46に前記フランジ状の頂板31下面に形成した係合凹部37を上方より嵌着する如く構成したので、両者の嵌合が容易であるとともに、肩カバー３の外れ防止或いは肩カバー３と内容器体４との相互の回動の防止を充分図ることができ、特に、内容器体４を比較的柔軟性のあるものとし、肩カバー３を比較的剛性のあるものとすればより顕著となる。
【０００９】
また、肩カバー３を嵌着した内容器体４を外容器体２に嵌着する場合にも、外容器体２内に内容器体４の胴部40を挿入して外容器体の口部に肩カバー３の周壁30を嵌着すれば良いため、両者の嵌合が容易であり、全体として組み付け操作が極めて容易である。特に肩カバー３の外容器体２に対する回転を防止する手段として、外容器体２の上端部に縦設した縦リブ23を肩カバー３の周壁30内周下端部に凹設した嵌合凹部33に嵌合させるとともに、外容器体２外周上端部の縦リブ23間に突設した突条24に肩カバー周壁30内周の前記突条24対向位置に凹設した凹条34に強制的に係合させた場合には、係合凹部33に縦リブ23を挿通した状態で肩カバー３を外容器体２に対して強く押し下げることにより簡単に嵌着することができ、また、その嵌合強度は充分な抜け出しの防止を図れるものである。
【発明を実施するための最良の形態】
【００１０】
以下、本発明の実施例の形態を図面を参照して説明する。
【００１１】
図１は本発明二重容器１の一実施形態を示すもので、液体噴出ポンプＡを装着した例を示す。二重容器１は、外容器体２と、肩カバー３と、内容器体４とを備えている。
【００１２】
外容器体２は、上端を開口した筒状をなしている。図示例では底壁20周縁より周壁21を立設した上端開口の有底円筒状をなし、周壁21外周の上端部は肩カバー３を嵌着した際に余分な突出がない様に段部22を介して縮径部21a に形成している。外容器体２を形成する材質は特に限定されず、例えば合成樹脂，或いは金属，或いはそれらの積層構造等種々の材質が採用できる。また、外容器体２は透明であっても不透明であっても良いが、外部より内容器体４を目視できる如く構成することにより、内容器体４の外面に設けた装飾層或いは装飾エンボス等と組み合わせて立体感のある格調の高い外観を得られる。外部より内容器体４を目視できる手段としては、外容器体２を透明乃至半透明に構成したり、或いは基本的に透明乃至半透明材質で構成し且つ不透明部分を設けたりすることにより行うことができる。
【００１３】
肩カバー３は、前記外容器体２の口部に回転及び抜け出しを防止して周壁30を嵌着し、また、周壁30より延設したフランジ状の頂板31の内周縁により後述する口頸部を突出するための窓孔32を囲成している。肩カバー３を形成する材質も特に限定されないが、例えば、合成樹脂，金属或いはそれらの複合材が採用できる。回転防止手段としては、外容器体２と肩カバー３の嵌合部分の一方の嵌合面に突部を、他方の嵌合面に凹部を、肩カバー３を上方より内容器体４に嵌着する際に両者の嵌合が可能に設ける。また、抜け出しを防止する手段としては、外容器体２と肩カバー３の嵌合部分に、肩カバー３を上方より内容器体４に嵌着する際に強制的に係合する凹凸係合手段を設ける。該凹凸係合手段としては、各嵌合面相互に周方向に延びる突条を形成して一方の突条が他方の突条を強制的に乗り越えて係合する。或いは一方の嵌合面に周方向に延びる突条を他方の嵌合面に周方向に延びる凹条を形成して両者を強制的に嵌合させる。
【００１４】
図示例では、回転防止手段として、外容器体２の縮径部21a 外面に縦リブ23を設け、また、肩カバー３の周壁30内面に下端を開口した係合凹部33を凹設し、各係合凹部33に各縦リブ23をそれぞれ嵌合させることにより、外容器体２と肩カバー３とが相互に回動するのを防止している。縦リブ23及び係合凹部33の数は特に限定されず単数でも複数でも良いが、強度，操作性等を考慮すると複数設けると良く、図示例では等間隔に４箇所設けている。
【００１５】
また、抜け出し防止手段として、外容器体２の縮径部21a 外面の各縦リブ23の両側に周方向に延びる突条24をそれぞれ突設している。また、肩カバー３の周壁30の各係合凹部33以外の部分の内面に、前記外容器体２の突条24が嵌合する凹条34を凹設している。そして、凹条34に突条24が強制的に係合する如く構成しており、両者の嵌合により外容器体２から肩カバー３の抜け出しを防止している。
【００１６】
内容器体４は、胴部の上端に口頸部を起立した形態のもので、外容器体２内に胴部を垂下し、且つ胴部の上端に起立した口頸部を前記窓孔32より突出した状態で肩カバー３に嵌着固定しており、ブロー成形等により安価に形成したものが好ましく使用できるがこれに限られず、例えば図示例の如く底壁を別体に形成して胴部内を摺動上昇可能に構成した形態のものであっても良い。その材質も合成樹脂等を使用できる。図示例では胴部40の上端部より肩部41を介して口頸部42を起立しており、胴部40内周下部に摺動上昇可能に外周縁を嵌合させた可動底壁43を備えている。
【００１７】
また、前記口頸部42の基端部外周は肩カバー３の窓孔32と略同形状をなしている。具体的には、窓孔32より口頸部42を突出する関係から口頸部42の基端部が窓孔32よりやや小さい略相似形状をなすものが使用される。
【００１８】
前記肩カバー３の内容器体４への嵌着固定手段としては、前記窓孔32周縁部の対向位置に設けた互いに並行する一対の支持垂面ｆ1 と、前記口頸部42外周基端部の前記各支持垂面との対向位置にそれぞれ設けた一対の互いに並行する被支持垂面ｆ2 とを、凹凸係合手段を介して乗り越え係合させ、且つ、前記頂板31下面に形成した係合凹部37を前記内容器体４上面に突設した係合突起46に上方より嵌着する如く構成している。凹凸係合手段としては前記した形態のものが採用できる。
【００１９】
図示例では、肩カバー３の窓孔32は両側に各支持垂面ｆ1 を形成するための突出部分35を一体に形成した平面視小判形をなしており、各支持垂面ｆ1 にそれぞれ凹凸係合手段を構成する係合突条36を突設している。尚、図中39は頂板31裏面に突設した筒部を示す。また、内容器体４は、その口頸部42の基端部を外方へ、前記窓孔32に挿通可能な平面視小判形に膨出形成した膨出部44を形成し、該膨出部44の両側を前記被支持垂面ｆ2 として構成し、それぞれ凹凸係合手段を構成する係合突条45を形成しており、係合突条36と係合突条45とをそれぞれ乗り越え係合させて肩カバー３の上方への抜け出しを防止している。
【００２０】
また、係合突起46は各被支持垂面ｆ2 の下端部の両側外方位置に幅狭に形成した左右一対と、膨出部44の前後下部外方位置に幅広に形成した前後一対との４箇所にそれぞれ突設している。一方係合凹部37は、肩カバー３の頂板31下面内周縁部の前記係合突起46対向位置にそれぞれ一対の垂板38を垂設し、各垂板38間を係合凹部37として構成している。各垂板38は頂板31の内周縁に立ち上がる側面視Ｌ字状をなし、従って、係合凹部37も側面視Ｌ字状であり、図２に示す如く、幅狭の係合突起46は係合凹部37の立ち上がり部分に嵌合し、また、幅広の係合突起46は図３に示す如く係合凹部37の横長部分に嵌合している。この係合突起46及び係合凹部37の数は図示例のものに限らず、単数でも複数でも良い。
【００２１】
前記の如く構成した二重容器１を組み付ける場合には、例えば、内容器体４の口頸部42を肩カバー３の窓孔32に挿通し、係合突起46を係合凹部37に嵌合しつつ係合突条36及び係合突条45を相互に乗り越え係合させ、内容器体４に肩カバー３を嵌着固定する。次いで、外容器体２内に胴部40を挿入し、外容器体２の縦リブ23に肩カバー３の係合凹部33を嵌合させつつ、外容器体２の突条24を肩カバーの凹状34に強制的に係合させて三者を一体に組み付けることができる。
【００２２】
また、この様に組み付けられた二重容器１は、内容器体４内に収納物を充填して口頸部42にキャップ（図示せず）を装着しておくことができ、また、図１に示す如く液体噴出ポンプＡを嵌着して使用することができる。液体噴出ポンプＡは口頸部42外周に装着筒50を螺着させて装着し、上端の押し下げヘッド51を上下動させることにより公知の内臓ポンプ機構により内容器体４内の液を吸い上げてヘッド51の噴出口52より噴出する如く構成している。尚、53はカバーキャップを示す。また、上記各部材の形成方法は公知方法を種々選択できるが、射出成形により形成することにより各部をシャープに形成できて、いろいろな嵌合形態に対応できる。
【図面の簡単な説明】
【００２３】
【図１】本発明二重容器にポンプを装着した半断面図である。（実施例１）
【図２】本発明二重容器の肩カバー内周嵌着部分の要部縦断面図である。（実施例１）
【図３】本発明二重容器の肩カバー内周嵌着部分の要部縦断面図である。（実施例１）
【図４】本発明二重容器の肩カバー外周嵌着部分の要部縦断面図である。（実施例１）
【図５】本発明二重容器に於ける外容器体の斜視図である。（実施例１）
【図６】本発明二重容器に於ける肩カバーの半断面図である。（実施例１）
【図７】本発明二重容器に於ける肩カバーの底面図である。（実施例１）
【図８】本発明二重容器に於ける内容器体の半断面図である。（実施例１）
【図９】本発明二重容器に於ける内容器体の平面図である。（実施例１）
【符号の説明】
【００２４】
２…外容器体，３…肩カバー，４…内容器体，23…縦リブ，24…突条，30…周壁，
31…頂板，32…窓孔，33…係合凹部，34…凹条，37…係合凹部，42…口頸部，
46…係合突起ｆ1 …支持垂面，ｆ2 …被支持垂面
【図１】
2005289467.tif 000003
【図２】
2005289467.tif 000004
【図３】
2005289467.tif 000005
【図４】
2005289467.tif 000006
【図５】
2005289467.tif 000007
【図６】
2005289467.tif 000008
【図７】
2005289467.tif 000009
【図８】
2005289467.tif 000010
【図９】
2005289467.tif 000011